(57)【要約】【課題】普段は蓋の閉鎖状態を確実に保持させ、納骨時等には蓋の開放を可能にして、お骨の盗難も簡易に防止できる地上墓の納骨口蓋の設置構造を提供すること。【解決手段】墓地の地面よりも上側に納骨室６を形成して納骨室前面の開口部を納骨口６ａとした形式の地上墓１において、納骨口６ａの両側に設置された支持部材８と、該支持部材８に対応して両側に係止孔７ａを設けた納骨口の蓋７と、前記蓋７の両側の係止孔７ａに係合・離脱可能で、係合時、該蓋７を納骨口６ａの前面に固定保持するために前記支持部材８に設けられた係止部材９とで構成した。【選択図】      図１
2004353344.tif 000002
【特許請求の範囲】
【請求項１】
墓地の地面よりも上側に納骨室を形成して納骨室前面の開口部を納骨口とした形式の地上墓において、納骨口の両側に設置された支持部材と、該支持部材に対応して両側に係止孔を設けた納骨口の蓋と、前記蓋の両側の係止孔に係合・離脱可能で、係合時、該蓋を納骨口の前面に固定保持するために前記支持部材に設けられた係止部材とで構成したことを特徴とする地上墓の納骨口蓋の設置構造。
【請求項２】
前記支持部材は、納骨室の天板から垂設され、かつ、前記係止部材は、納骨口の蓋の係止孔に該蓋の上半部の任意の位置で上下方向に隙間を以って係合させてあることを特徴とする請求項１に記載の地上墓の納骨口蓋の設置構造。
【請求項３】
前記係止部材は、先端に係止部を有し、基部にねじが刻設されたボルト形状とされ、前記支持部材のねじ孔に螺合固着されていることを特徴とする請求項１又は２に記載の地上墓の納骨口蓋の設置構造。
【請求項４】
前記係止部材のボルト頭部には、取外し防止具が装着されており、この取外し防止具は、前記ボルト頭部を被覆し、内面に環状溝を有するキャップと、該キャップの環状溝と前記ボルト頭部の外周に形成された環状溝とに跨って弾性的に拡縮変形可能に嵌着され、前記キャップを前記ボルト頭部に回転自在に係止する係止リングとを有し、前記キャップの外面には、前記内面の環状溝に達する横穴が複数個形成されていることを特徴とする請求項１〜３のいずれかに記載の地上墓の納骨口蓋の設置構造。
【発明の詳細な説明】
【０００１】
【発明の属する技術分野】
本発明は、墓地の地面よりも上側に納骨室を形成して納骨室前面の開口部を納骨口とした形式の地上墓の納骨口蓋の設置構造に関するものである。
【０００２】
【従来の技術】
この種の地上墓の納骨口は、普段は石材製の蓋で閉鎖されているが、新しく亡くなった人のお骨を納骨室に納骨する必要があるため、該蓋は納骨室の前面に取付け・取外し可能に設置されている。
従来の具体的な設置構造としては、前記蓋を納骨室の前面に単に立て掛けてあるだけの場合が最も一般的であった（例えば、特許文献１参照）。なお、蓋と納骨口周囲の隙間を外側からセメントで薄く目塗りしている場合もあるが、この場合は、納骨後に雨水の侵入を防止することを目的として施工しているもので、その場合でも次回の取外しが可能であるように施工されている程度であった。
【０００３】
【特許文献１】
実用新案登録第３０８８６８２号公報
【０００４】
【発明が解決しようとする課題】
しかしながら、上記従来の蓋の設置構造では、地震等によって蓋が倒れて納骨口が開口したままとなったり、誰でもが蓋を容易に移動させて納骨口を開口させることができ、納骨口の閉鎖保持が不十分となり、場合によっては、納骨室内のお骨が盗難に遭遇する場合があった。
そこで、本発明は、普段は蓋の閉鎖状態を確実に保持させ、納骨時等には蓋の開放を可能にして、お骨の盗難も簡易に防止できる地上墓の納骨口蓋の設置構造を提供することを課題としている。
【０００５】
【課題を解決するための手段】
この技術的課題を解決するために本発明は、墓地の地面よりも上側に納骨室を形成して納骨室前面の開口部を納骨口とした形式の地上墓において、納骨口の両側に設置された支持部材と、該支持部材に対応して両側に係止孔を設けた納骨口の蓋と、前記蓋の両側の係止孔に係合・離脱可能で、係合時、該蓋を納骨口の前面に固定保持するために前記支持部材に設けられた係止部材とで構成したことを特徴としている。
【０００６】
上記構成によれば、係止部材と支持部材とによって、普段は蓋を納骨口の前面で閉鎖状態に確実に固定保持させ、納骨時等には係止部材を蓋の係止孔から離脱させて、蓋を移動させ、納骨口を開放させることができる。
また、本発明の前記支持部材は、納骨室の天板から垂設され、かつ、前記係止部材は、納骨口の蓋の係止孔に該蓋の上半部の任意の位置で上下方向に隙間を以って係合させてあることを特徴としている。
上記構成によれば、支持部材を天板から垂設したことにより、地上から立設する場合よりも短くすることができる。そして、蓋の係止孔と係止部材との係合位置を蓋の上半部の任意の位置としてあるため、蓋の両側を１箇所ずつ支持させているだけであるにも拘らず、蓋を納骨口の前面で閉鎖状態に安定して固定保持させることができる。しかも、蓋の係止孔に係止部材を上下方向に隙間を以って係合させてあるため、蓋の自重は、係止部材や支持部材に掛からず、納骨口前面の地上の台座部材等に負担させることができる。これによって、地震発生時においても、蓋と係止部材及び支持部材とは相対的な動きが許容され、損傷を免れることが可能となる。また、蓋の係止孔と係止部材とは、蓋が倒れる方向（納骨口の前後方向）には積極的に隙間を付与していない（若干の隙間はある）ため、蓋の倒れ方向の遊動を防止させることができる。したがって、上記構成によれば、蓋を２点で支持するだけでよいため、蓋の設置構造を簡単化することができるとともに、耐久性を向上させることができる。
【０００７】
また、本発明の前記係止部材は、先端に係止部を有し、基部にねじが刻設されたボルト形状とされ、前記支持部材のねじ孔に螺合固着されていることを特徴としている。
上記構成によれば、係止部材の基部のねじ部を支持部材のねじ孔に対して、螺合固着させてあるため、地震等があっても係止部材が支持部材から脱落することはなく、蓋を閉鎖状態に確実に保持させることができる。そして、納骨時等においては、係止部材のボルト頭部をスパナ等の工具或いはコイン等で回すことによって、先端の係止部を蓋の係止孔から退入させて蓋を納骨口の前面から自由に移動させて納骨口を開放させることができる。納骨後、蓋を閉鎖状態に戻し、係止部材を支持部材にねじ込んで先端の係止部を蓋両側の係止孔に突出係合させて、蓋を納骨口の前面に閉鎖状態で固定保持させることができる。
【０００８】
また、本発明の前記係止部材のボルト頭部には、取外し防止具が装着されており、この取外し防止具は、前記ボルト頭部を被覆し、内面に環状溝を有するキャップと、該キャップの環状溝と前記ボルト頭部の外周に形成された環状溝とに跨って弾性的に拡縮変形可能に嵌着され、前記キャップを前記ボルト頭部に回転自在に係止する係止リングとを有し、前記キャップの外面には、前記内面の環状溝に達する横穴が複数個形成されていることを特徴としている。
上記構成によれば、普段は、取外し防止具のキャップによって係止部材のボルト頭部を被覆しているので、該係止部材のボルト頭部を回すことができず、また、キャップは、係止リングによって係止部材のボルト頭部に係止保持させているので、簡単に取外すことができない。この場合、キャップを回してみても、単に、空転するだけであって、ボルト頭部を回すことはできない。したがって、普段は、係止部材を支持部材から取外すことができず、蓋は納骨口を閉鎖した状態に確実に保持される。その結果、お骨の盗難を防止することができる。なお、納骨時等には、キャップの外面に設けた複数個の横穴に同時に係合して縮径方向に一斉に動作する専用工具を使用することにより、係止リングを縮径させてキャップの環状溝から外すことによって、キャップを係止部材のボルト頭部から抜き取ることができる。その後、係止部材のボルト頭部をスパナ或いはコイン等で回動させることにより、係止部材の先端の係止部を蓋の係止孔から退入させ、蓋を移動させて納骨口を開口させ、納骨室への納骨を可能とする。納骨後、逆順序で蓋を閉鎖状態に戻し、係止部材を前記と逆方向に回して係止部材の先端の係止部を蓋の両側の係止孔に突出係合させて蓋を納骨口の前面に閉鎖状態で固定保持し、係止部材のボルト頭部にキャップを被せ、係止リングをキャップの案内面で縮径させつつ環状溝に嵌まり込ませることにより、取外し防止状態に戻すことができる。
【０００９】
【発明の実施の形態】
以下、本発明の実施の形態を図面に基づいて説明する。
図１は本発明の地上墓の納骨口蓋の設置構造の実施の一形態を示す全体の概略斜視図である。
図１において、地上墓１は、台座部材２と天板３との間に隅柱４と側壁５を立設して納骨室６を囲繞形成し、納骨室６の前面を開口させて納骨口６ａとし、納骨口６ａの前面に蓋７が支持部材８と係止部材９により固定保持されている。
【００１０】
納骨室６の天板３上には、中台１０、上台１１、棹石１２が順次載置されて地上墓１とされている。地上墓１の前面両側には大柱１３、手摺１４を取付けて参道とし、敷石１５が敷設されている。上記地上墓１の主要構成部材は、石材で構成されている。
蓋７は、納骨口６ａの前面を閉鎖し得る大きさの板状石材で構成されており、その両側上端付近には係止部材９の係止孔７ａが形成されている。なお、蓋７の前面は、納骨された故人の霊標として利用される。
【００１１】
支持部材８は、係止部材９を介して蓋７を納骨口６ａの前面に固定保持させるためのもので、図１、図２に示すように、天板３から垂設されている。
前記支持部材８は、図３及び図４に示すように、上端付近に取付基部８ａを有し、下端付近にねじ孔８ｂを横方向に貫通して形成している。
取付基部８ａは、支持部材８の主体部よりも若干小径とされ、天板３への取付段部８ｃを形成している。
天板３には、納骨口６ａの両側上部に対応させて取付孔３ａが形成されており、この取付孔３ａに支持部材８の取付基部８ａを挿入し、適宜の接着剤を介して接着固定され、これによって、支持部材８が天板３に垂設されている。前記接着剤としては、耐震用ボンドを使用するのが好ましいが、他の接着剤でもよい。
【００１２】
前記取付基部８ａには、環状凹溝８ｄが複数段形成してあり、この環状凹溝８ｄに接着剤を滞留係止させて接着剤の接着強度をアップさせるようにしている。支持部材８は、真鍮、ブロンズ、ステンレス、チタン合金、繊維強化プラスチック、その他、酸性雨等に対する耐食性、炎天下等での耐候性、耐久性、耐震性、強度等を有する適宜の材料で製作されるものである。
係止部材９は、納骨口６ａの蓋７の両側の係止孔７ａに該蓋７の上半部の任意の位置で上下方向に隙間を以って係合させてある。
【００１３】
前記係止部材９は、先端に係止部９ａを有し、基部にねじ９ｂが刻設されたボルト形状とされ、前記支持部材８のねじ孔８ｂに螺合固着されている。
支持部材８は、円柱状とされ、ねじ孔８ｄの形成位置における外側端面は、平坦座面８ｅとされている。
前記係止部材９のボルト頭部９ｃには、取外し防止具１６が装着されている。この取外し防止具１６は、前記ボルト頭部９ｃを被覆し、内面に環状溝１６ａを有するキャップ１６ｂと、該キャップ１６ｂの環状溝１６ａと前記ボルト頭部９ｃの外周に形成された環状溝９ｄとに跨って弾性的に拡縮変形可能に嵌着され、前記キャップ１６ｂを前記ボルト頭部９ｃに回転自在に係止する係止リング１６ｃとを有している。
【００１４】
上記係止リング１６ｃは、割環状とされており、この係止リング１６ｃによって、普段はキャップ１６ｂをボルト頭部９ｃに係止させて係止部材９を被覆状態に保持し、係止部材９の取外しを防止させている。
前記キャップ１６ｂの外面には、前記内面の環状溝１６ａに達する横穴１６ｄが複数個（例えば、９０°間隔で４個）形成されている。
納骨時、この横穴１６ｄに同時に係合して縮径方向に一斉に動作する専用工具（図示省略）を使用することにより、係止リング１６ｃを縮径させてキャップ１６ｂの環状溝１６ａから外すことによって、キャップ１６ｂを係止部材９のボルト頭部９ｃから抜き取ることができるようにしている。
【００１５】
前記ボルト頭部９ｃは、大径の円形部９ｃ１と小径の角形部９ｃ２とを有し、大径の円形部９ｃ１にキャップ１６ｂが回転自在に嵌合されている。上記角形部９ｃ２の頂面には、マイナス溝やプラス溝或いはコイン嵌合溝、又は、角穴等を形成しておいてもよい。
前記キャップ１６ｂの外周面は、円形、角形のいずれでもよいが、内周面は、円形としておくのが好ましく、特に、キャップ１６ｂの開口端側の内周面には、係止リング１６ｃを縮径させるためのテーパー状の案内面を形成しておくのが好ましい。図３及び図４においては、前記ボルト頭部９ｃの円形部９ｃ１の外面とキャップ１６ｂの外面とを面一とした場合を例示している。
【００１６】
前記係止部材９及びキャップ１６ｂ並びに係止リング１６ｃは、前記支持部材８と同一材料で構成してもよく、別材料で構成してもよい。しかし、酸性雨等に対する耐食性、炎天下等での耐候性、耐久性、耐震性、強度等を有する適宜の材料で製作されるのが好ましい。
本発明に係る地上墓の納骨口蓋の設置構造の実施形態は以上の構成からなり、次にその施工例並びに使用例を説明する。
先ず、既存の地上墓１に適用する場合は、現場で天板３に取付孔３ａの孔明け加工及び蓋７の両側面への係止孔７ａの形成加工をするか、解体して工場等の作業場所にそれらを持ち帰って同様な加工を施す。地上墓１を新規に製作設置する場合には、上記加工を工場等の作業場所で行う。この場合、天板３に対する取付孔３ａの形成位置は、納骨口６ａの前面両側位置及び蓋７の閉鎖状態の両側面位置を考慮して、これらの位置に対応するように設定される。そして、支持部材８の取付基部８ａを天板３の取付孔３ａに挿入し、接着剤で接着固定する。この場合、支持部材８の下端付近のねじ穴８ｂの向きを同一線上に対向するように接着固定される。そのために、例えば、天板３の取付孔３ａの周囲に予め目印を付け、支持部材８の取付段部８ｃの周囲にも同様な目印を付けておき、これらを整合させるようにする。蓋７の両側面への係止孔７ａの形成加工も同様な考慮をして行えばよい。ここまでの加工は、工場等の作業場所で行って、後は現場で行うのが望ましいが、現場で実施してもよい。このようにして、天板３に支持部材８を垂設すると、現場で蓋７を納骨口６ａの前面に搬入して閉鎖状態に立て掛け、係止部材９を支持部材８のねじ孔８ｂにねじ込んで先端の係止部９ａを蓋７の係止孔７ａに係合させる。そして、係止部材９のボルト頭部９ｃの外周に形成された環状溝９ｄに係止リング１６ｃを嵌め込んでおき、キャップ１６ｂを係止部材９のボルト頭部９ｃに被せ、キャップ１６ｂの開口端側内面のテーパー状案内面で係止リング１６ｃを縮径させながら押し込み、係止リング１６ｃをキャップ１６ｂの内面の環状溝１６ａに嵌合させる。これにより、設置作業は終了する。
【００１７】
普段はこの状態に保持される。この状態においては、係止部材９は、キャップ１６ｂで被覆されており、キャップ１６ｂは、係止リング１５ｃによって係止部材９のボルト頭部９ｃに係止されているので、係止部材９を回すことは困難である。なお、キャップ１６ｂを回すことはできるが、この回転方向には、キャップ１６ｂと係止部材９とは係止されておらず、キャップ１６ｂだけが空転するだけとなるので、係止部材９を支持部材８から取外すことはできない。そのため、蓋７を移動させることはできず、納骨室６内のお骨が盗まれるようなことはない。
【００１８】
納骨時、専用工具を持参して、キャップ１６ｂの周囲の横穴１６ｄに同時にピンを係合させて係止リング１６ｃを縮径させてキャップ１６ｂを外す。そして、係止部材９を回動させて支持部材８のねじ孔８ｂから外せば、蓋７を動かすことができ、納骨口６ａを開放させて納骨することができる。納骨後は、逆の手順で蓋７を閉鎖状態に戻せばよい。
以上説明したように、本発明の実施形態によれば、普段は蓋の閉鎖状態を確実に保持させ、納骨時等には蓋の開放を可能にして、お骨の盗難も簡易に防止できる地上墓の納骨口蓋の設置構造を提供することができる。
【００１９】
なお、本発明は、上記実施の形態に限定されるものではない。例えば、支持部材８は、天板３から垂設するだけでなく、地上から立設させてもよく、また、納骨口６ａの両側の柱又は壁に一体に突出形成したり、該柱又は壁に接着固定したり、ボルト付けやリベット付けしてもよい。また、係止部材９は、支持部材８に螺合固着させているが、シリンダー錠構造としてキーにより施錠・開錠して着脱可能としてもよい。その場合には、取外し防止具１６は、省略してもよく、併用してもよい。
【００２０】
【発明の効果】
本発明によれば、普段は蓋の閉鎖状態を確実に保持させ、納骨時等には蓋の開放を可能にして、お骨の盗難も簡易に防止できる地上墓の納骨口蓋の設置構造を提供することができる。
【図面の簡単な説明】
【図１】本発明に係る地上墓の納骨口蓋の設置構造の実施形態を示す概略斜視図である。
【図２】図１における納骨口蓋の設置部の概略正面図である。
【図３】支持部材及び係止部材の一部を破断して内部構造を示す拡大正面図である。
【図４】図３の係止部材の位置における支持部材の横断平面図である。
【符号の説明】
１    地上墓
２    台座部材
３    天板
３ａ  取付孔
４    隅柱
５    側壁
６    納骨室
６ａ  納骨口
７    蓋
７ａ  係止孔
８    支持部材
８ａ  取付基部
８ｂ  ねじ孔
８ｃ  取付段部
８ｄ  環状凹溝
８ｅ  平坦座面
９    係止部材
９ａ  係止部
９ｂ  ねじ部
９ｃ  ボルト頭部
９ｄ  環状溝
１０  中台
１１  上台
１２  棹石
１３  大柱
１４  手摺
１５  敷石
１６  取外し防止具
１６ａ  環状溝
１６ｂ  キャップ
１６ｃ  係止リング
１６ｄ  横穴
【図１】
2004353344.tif 000003
【図２】
2004353344.tif 000004
【図３】
2004353344.tif 000005
【図４】
2004353344.tif 000006